(57)【要約】【課題】バネ部材の長尺化を回避しながら、雄タブの突き当たりに起因するバネ部材の不正な変形を防止する。【解決手段】バネ部材３０は、接点部３１から前側傾斜部３２Ｆと後側傾斜部３２Ｒを延出させた前後対称な形状であり、雄タブＭが角筒部１１内に挿入される過程では、雄タブＭが、前側傾斜部３２Ｆに当接して、バネ部材３０を弾性撓みさせながら前側傾斜部３２Ｆ上を摺動する。支持板１４には、受け板１６側へ突出した形態であって、前側傾斜部３２Ｆの前端部を支持する嵩上げ部１９を設けた。前側傾斜部３２Ｆの前端部が支持板１４から浮き上がった状態になるので、前側傾斜部３２Ｆの前後寸法を大きくしなくても、前側傾斜部３２Ｆの勾配が緩やかになる。【選択図】図１
2009259490.tif 000002
【特許請求の範囲】
【請求項１】
前方から雄タブを挿入させるための角筒部を有する端子本体と、
前記端子本体とは別体部品であって、前記角筒部内に収容するように組み付けた弾性撓み可能なバネ部材とを備え、
前記角筒部は、支持板と、前記支持板と対向する受け板とを備えており、
前記バネ部材は、その前後方向における中央部に形成した接点部と、前記接点部から前方に延出する前側傾斜部と、前記接点部から後方へ延出する後側傾斜部とから構成された前後対称な形状であって、前記前側傾斜部の前端部と前記後側傾斜部の後端部が前記支持板に支持された形態となっており、
前記雄タブが前記角筒部内に挿入される過程では、前記雄タブが、前記前側傾斜部に当接して、前記バネ部材を弾性撓みさせながら前記前側傾斜部上を摺動し、
前記雄タブが正規の挿入位置に達した状態では、前記雄タブが、前記接点部と前記受け板との間で弾性的に挟まれるようになっている端子金具において、
前記支持板には、前記受け板側へ突出した形態であって、前記前側傾斜部の前端部を支持する嵩上げ部が設けられていることを特徴とする端子金具。
【請求項２】
前記後側傾斜部の後端部は、前記支持板に対して前後方向の移動を規制された状態で支持されており、
前記嵩上げ部における前記前側傾斜部との当接面が、前後方向に延びた形態であって、前記前側傾斜部の前後方向への摺動を許容する平面状をなしていることを特徴とする請求項１記載の端子金具。
【請求項３】
前記前側傾斜部の前端部における前記当接面への当接領域は、前記当接面と略平行な平面状をなしていることを特徴とする請求項２記載の端子金具。
【請求項４】
前記嵩上げ部は、前記当接面を上辺とするとともに、前記当接面から斜めに延出して前記支持板に連なる前後一対の斜辺部を有する台形状をなしていることを特徴とする請求項２または請求項３に記載の端子金具。
【発明の詳細な説明】
【技術分野】
【０００１】
本発明は、端子金具に関するものである。
【背景技術】
【０００２】
特許文献１には、前方から雄タブを挿入させるための角筒部を有する端子本体と、この端子本体とは別体部品であって弾性撓み可能なバネ部材を角筒部内に収容するように組み付けて構成される端子金具について開示されている。角筒部は、支持板と、支持板と対向する受け板とを備えて構成されている。
【０００３】
バネ部材は、その前後方向における中央部に形成した接点部と、接点部から前方に延出する前側傾斜部と、接点部から後方へ延出する後側傾斜部とから構成され、前側傾斜部の前端部と後側傾斜部の後端部が支持板に支持されている。バネ部材は、前後対称な形状となっており、これにより、バネ部材を角筒部に組み付ける際には、バネ部材の前後の向きを考慮する必要がなくなるので、生産性の向上が期待できる。
【０００４】
雄タブが角筒部内に挿入される過程では、まず、雄タブが、前側傾斜部に当接して、バネ部材を弾性撓みさせながら前側傾斜部上を摺動し、雄タブが正規の挿入位置に達した状態では、雄タブは、接点部と受け板との間で弾性的に挟まれるようになっている。
【特許文献１】特開２００８−４３４２公報
【発明の開示】
【発明が解決しようとする課題】
【０００５】
上記のような形態の端子金具では、前側傾斜部の勾配がきついと、前方から挿入された雄タブが、前側傾斜部上を摺動せずに前側傾斜部を後方へ押し動かし、バネ部材を不正に変形させる虞がある。この雄タブの突き当たりに起因するバネ部材の不正な変形を防止する手段としては、図５に示すように、バネ部材１の形状を変更して、前側傾斜部２Ｆを後側傾斜部２Ｒよりも長くなるように前方へ延ばし、前側傾斜部２Ｆの勾配を後側傾斜部２Ｒよりも緩やかにすることが考えられる。
【０００６】
ところが、前側傾斜部２Ｆと後側傾斜部２Ｒの勾配を異ならせると、バネ部材１は前後非対称な形状となり、角筒部３にバネ部材１を組み付けるときには、バネ部材１の前後の向きを考慮する必要が生じるため、生産性の低下が懸念される。したがって、雄タブ４による前側傾斜部２Ｆへの突き当たり回避と、生産性の低下回避とを両立させるためには、前側傾斜部２Ｆと同じように、後側傾斜部２Ｒも後方へ延ばしてその勾配を前側傾斜部２Ｆと同じ角度にすればよいのであるが、そうすると、バネ部材１の前後寸法が著しく大きくなり、ひいては、端子金具全体が長尺化することになる。
【０００７】
本発明は上記のような事情に基づいて完成されたものであって、バネ部材の長尺化を回避しながら、雄タブの突き当たりに起因するバネ部材の不正な変形を防止できるようにすることを目的とする。
【課題を解決するための手段】
【０００８】
上記の目的を達成するための手段として、請求項１の発明は、前方から雄タブを挿入させるための角筒部を有する端子本体と、前記端子本体とは別体部品であって、前記角筒部内に収容するように組み付けた弾性撓み可能なバネ部材とを備え、前記角筒部は、支持板と、前記支持板と対向する受け板とを備えており、前記バネ部材は、その前後方向における中央部に形成した接点部と、前記接点部から前方に延出する前側傾斜部と、前記接点部から後方へ延出する後側傾斜部とから構成された前後対称な形状であって、前記前側傾斜部の前端部と前記後側傾斜部の後端部が前記支持板に支持された形態となっており、前記雄タブが前記角筒部内に挿入される過程では、前記雄タブが、前記前側傾斜部に当接して、前記バネ部材を弾性撓みさせながら前記前側傾斜部上を摺動し、前記雄タブが正規の挿入位置に達した状態では、前記雄タブが、前記接点部と前記受け板との間で弾性的に挟まれるようになっている端子金具において、前記支持板には、前記受け板側へ突出した形態であって、前記前側傾斜部の前端部を支持する嵩上げ部が設けられているところに特徴を有する。
【０００９】
請求項２の発明は、請求項１に記載のものにおいて、前記後側傾斜部の後端部は、前記支持板に対して前後方向の移動を規制された状態で支持されており、前記嵩上げ部における前記前側傾斜部との当接面が、前後方向に延びた形態であって、前記前側傾斜部の前後方向への摺動を許容する平面状をなしているところに特徴を有する。
【００１０】
請求項３の発明は、請求項２に記載のものにおいて、前記前側傾斜部の前端部における前記当接面への当接領域は、前記当接面と略平行な平面状をなしているところに特徴を有する。
【００１１】
請求項４の発明は、請求項２または請求項３に記載のものにおいて、前記嵩上げ部は、前記当接面を上辺とするとともに、前記当接面から斜めに延出して前記支持板に連なる前後一対の斜辺部を有する台形状をなしているところに特徴を有する。
【発明の効果】
【００１２】
＜請求項１の発明＞
前側傾斜部の前端部が支持板から浮き上がった状態になるので、前側傾斜部の前後寸法を大きくしなくても、前側傾斜部の勾配が緩やかになる。これにより、バネ部材の前後対称な形状を維持しながら、雄タブの突き当たりに起因するバネ部材の不正な変形を防止することができる。
【００１３】
＜請求項２の発明＞
雄タブが接点部と受け板との間に割り込んでバネ部材が弾性撓みさせられる過程では、前側傾斜部の前端部が当接面上を摺動することにより、バネ部材の不正な変形が防止される。
【００１４】
＜請求項３の発明＞
当接面と前側傾斜部の前端部は、広い面積に亘って対向するので、前側傾斜部の前端部は嵩上げ部により安定して支持される。
【００１５】
＜請求項４の発明＞
嵩上げ部は、台形状をなしているので、前方から雄タブで押されても変形する虞はない。これにより、前側傾斜部を安定して支持することができる。
【発明を実施するための最良の形態】
【００１６】
＜実施形態１＞
以下、本発明を具体化した実施形態１を図１乃至図４を参照して説明する。本実施形態の端子金具Ｔは、前後方向に細長い端子本体１０と、端子本体１０とは別体部品であるバネ部材３０とを組み付けて構成された雌形の端子である。端子本体１０の略前半部分は角筒部１１となっている。また、端子本体１０の略後半部分は、電線１２を圧着により導通可能に接続するためのオープンバレル状をなす周知形態の電線接続部１３となっている。
【００１７】
この端子金具Ｔの接続対象である雄タブＭは、前後方向に細長く、横断面形状が方形をなす周知形態のものであり、角筒部１１に対してその前方（図１及び図２における左方）から挿入されるようになっている。また、雄タブＭの挿入方向における先端部（図１及び図２における右側の端部）は、先端側に向かって次第に細くなるようなテーパ状をなしている。
【００１８】
角筒部１１は、前後方向に細長い支持板１４と、前後方向に細長くて支持板１４の左右両側縁から略直角に立ち上がる一対の側板１５と、前後方向に細長くていずれか一方の側板１５の上端縁（立ち上がり端縁）から略直角に延出されて支持板１４と対向するように位置する受け板１６とを備えて構成されている。受け板１６には、下方（支持板１４側）へ膨出する受け部１７が、叩き出し加工又は切り起こし加工によって形成されている。受け部１７の下面は、支持板１４と略平行な平面状をなしている。
【００１９】
支持板１４には、角筒部１１の後端側の部分を上方へ切り起こすことによって支持部１８か形成されている。支持部１８は、支持板１４から直角に立ち上がる板状の立上り部１８ａと、立上り部１８ａの上端から前方へ略直角に延出する板状の押え部１８ｂとからなり、上下反転したＬ字形をなす。押え部１８ｂの下面と支持板１４の上面との上下方向の間隔は、バネ部材３０の板厚寸法とほぼ同じ寸法とされている。
【００２０】
支持板１４における角筒部１１の前端に近い位置には、叩き出し加工又は切り起こし加工によって嵩上げ部１９が形成されている。嵩上げ部１９は、支持板１４と平行な平板状をなす当接部２０と、当接部２０の前端から斜め前方に延出して支持板１４に連なる前側斜辺部２１Ｆと、当接部２０の前端から斜め後方に延出して支持板１４に連なる後側斜辺部２１Ｒとから構成されている。当接部２０の上面は、支持板１４の上面よりも高い位置（受け板１６に近い位置）に配置された当接面２２となっており、この当接面２２は、前後方向（角筒部１１に対する雄タブＭの挿入方向と平行な方向）に延びる平面状をなしている。かかる嵩上げ部１９は、側方（角筒部１１に対する雄タブＭの挿入方向及びバネ部材３０と受け板１６との間で雄タブＭを挟み付ける方向との両方向に対して直角な方向）から視たときに、当接面２２を上辺とする前後対称な等脚台形をなす。
【００２１】
バネ部材３０は、全体として前後方向に長く、前端から後端に亘って一体幅の方形の金属板材を曲げ加工することにより成形されている。バネ部材３０は、平板状をなす接点部３１と、接点部３１の前端縁から斜め前方へ延出する板状の前側傾斜部３２Ｆと、接点部３１の後端縁から斜め後方へ延出する板状の後側傾斜部３２Ｒとから構成されている。バネ部材３０は、弾性撓みしていない状態では前後対称な形状をなしている。バネ部材３０を前後対称な形状としたことにより、バネ部材３０を角筒部１１に組み付ける際には、バネ部材３０の前後の向きを考慮する必要がなくなるので、生産性の向上が期待できる。
【００２２】
前側傾斜部３２Ｆの前端部における当接面２２との接触領域は、バネ部材３０が弾性撓みしていない状態において接点部３１と略平行をなす前側接触部３３Ｆとなっている。この前側接触部３３Ｆは、嵩上げ部１９の当接面２２に対して導通可能に接触するようになっている。一方、後側傾斜部３２Ｒの後端部は、バネ部材３０が弾性撓みしていない状態において接点部３１と略平行をなす後側接触部３３Ｒとなっている。この後側接触部３３Ｒは、支持部１８に対して導通可能に接触するようになっている。
【００２３】
かかるバネ部材３０は、端子本体１０に対し、角筒部１１内に収容された状態で組み付けられている。組み付けた状態では、後側接触部３３Ｒを支持部１８に対して前方から係止させ、押え部１８ｂを後側接触部３３Ｒの上面に食い込ませるようにカシメ変形させることにより、後側接触部３３Ｒが支持部１８に対して前後、左右及び上下のいずれの方向に対しても相対変位を規制された固着状態で支持される。組み付けられたバネ部材３０が弾性撓みしていない状態では、接点部３１が支持板１４及び支持部１８に対して概ね平行をなし、接点部３１と受け部１７との上下方向（角筒部１１に対する雄タブＭの挿入方向と直角な方向）の寸法（間隔）は、雄タブＭの厚さ寸法よりも小さい寸法に設定されている。
【００２４】
同じく、組み付けられたバネ部材３０が弾性撓みしていない状態では、前側傾斜部３２Ｆの前端部が、嵩上げ部１９の当接面２２に対し、前側接触部３３Ｆを上からほぼ平行に載置させた状態で支持されている。この当接面２２の位置は、上下方向において後側接触部３３Ｒよりも高い位置にあるので、支持板１４に対する前側傾斜部３２Ｆの傾斜角度は、支持板１４に対する後側傾斜部３２Ｒの傾斜角度よりも小さくなっている。この支持板１４に対する傾斜角度は、角筒部１１に対する雄タブＭの挿入方向に対する傾斜角度と同じ角度である。
【００２５】
次に、本実施形態の作用を説明する。  
角筒部１１に雄タブＭが挿入する過程では、図１に示すように、雄タブＭの先端部が前側傾斜部３２Ｆに当接する。このとき、前側傾斜部３２Ｆの勾配がきつい（雄タブＭの挿入方向に対する前側傾斜部３２Ｆの傾斜角度が大きい）と、前方から挿入された雄タブＭが、前側傾斜部３２Ｆ上を円滑に摺動せずに前側傾斜部３２Ｆを後方へ押し動かし、バネ部材３０を不正に変形させることが懸念なされる。
【００２６】
その点、本実施形態では、支持板１４に、支持板１４から浮かせるように受け板１６側へ突出させた形態であって、前側傾斜部３２Ｆの前端部を支持する嵩上げ部１９を設け、前側傾斜部３２Ｆの前端部が支持板１４から浮き上がった状態としている。このようにすると、前側傾斜部３２Ｆの長さを長くしなくても、前側傾斜部３２Ｆの傾斜角度（勾配）を緩やかにすることができる。これにより、雄タブＭが前側傾斜部３２Ｆに突き当たることに起因して、バネ部材３０が不正な変形を来すという事態が回避される。
【００２７】
そして、雄タブＭの挿入が進むと、雄タブＭが、その先端部を前側傾斜部３２Ｆ上を摺動しながら、受け部１７と接点部３１との間の割り込んでいく。これに伴い、バネ部材３０は、その接点部３１を支持板１４に接近させる方向（受け板１６から遠ざける方向）へ変位させながら弾性撓みさせられていく。また、バネ部材３０の弾性撓みに伴い、前側傾斜部３２Ｆの前側接触部３３Ｆは嵩上げ部１９の当接面２２上を前方へ摺動する。
【００２８】
雄タブＭが正規の挿入位置に到達すると、図２に示すように、雄タブＭの上面と受け部１７の下面とが面接触状態で導通可能に接続するとともに、雄タブＭの下面と接点部３１の下面とがほぼ面接触状態で導通可能に接続する。また、この状態では、前側接触部３３Ｆは当接面２２上に載置された状態を維持する。
【００２９】
本実施形態では、前側傾斜部３２Ｆの勾配を緩やかにする手段として、支持板１４に形成した嵩上げ部１９に前側傾斜部３２Ｆの前端部を載置するようにしているので、前側傾斜部３２Ｆの前後寸法を大きくする必要がない。したがって、バネ部材３０の前後対称な形状を維持しながら、雄タブＭの突き当たりに起因するバネ部材３０の不正な変形を防止することができるようになっている。
【００３０】
また、後側傾斜部３２Ｒの後端部は、支持板１４に対して前後方向の移動を規制された状態で支持されているので、これに鑑み、嵩上げ部１９における前側傾斜部３２Ｆとの当接面２２は、前後方向に延びた形態であって、前側傾斜部３２Ｆの前後方向への摺動を許容する平面状としている。これにより、雄タブＭが接点部３１と受け板１６との間に割り込んでバネ部材３０が弾性撓みさせられる過程では、前側傾斜部３２Ｆの前端部が当接面２２上を摺動することができるので、バネ部材３０の不正な変形が防止される。
【００３１】
また、前側傾斜部３２Ｆの前端部における当接面２２への当接領域を、当接面２２と略平行な平面状とし、当接面２２と前側傾斜部３２Ｆの前端部は、広い面積に亘って対向するようにしているので、前側傾斜部３２Ｆの前端部を嵩上げ部１９によって安定して支持することができる。
【００３２】
また、嵩上げ部１９は、当接面２２を上辺とするとともに、当接面２２から斜めに延出して支持板１４に連なる前後一対の斜辺部２１Ｆ，２１Ｒを有する台形状としているので、剛性が高く、前方から雄タブＭで押されても変形する虞はない。これにより、前側傾斜部３２Ｆを安定して支持することができる。
【００３３】
＜他の実施形態＞
本発明は上記記述及び図面によって説明した実施形態に限定されるものではなく、例えば次のような実施態様も本発明の技術的範囲に含まれる。  
（１）上記実施形態では後側傾斜部を支持板に対して前後移動を規制された状態に支持するとともに、前側傾斜部を当接面上で前後方向に摺動させるようにしたが、前側傾斜部を嵩上げ部に前後移動を規制された状態で支持するとともに、後側傾斜部を支持板上で前後方向に摺動し得るようにしてもよい。
（２）上記実施形態では嵩上げ部に、前側傾斜部を前後方向に摺動させるための平面状の当接面を形成したが、嵩上げ部における前側傾斜部との当接部分は、円弧状、球面状、三角形状等として、前側傾斜部を点接触又は線接触状態で接触させるようにしてもよい。
（３）上記実施形態では前側傾斜部の前端部における当接面への当接領域を、当接面と略平行な平板状としたが、前側傾斜部の前端部における当接面への当接領域は、円弧状、球面状、三角形状等として、当接面に対して点接触又は線接触状態で接触させるようにしてもよい。  
（４）上記実施形態では接点部を前後方向に延びた平板状として雄タブが面接触するようにしたが、接点部は、円弧形、球面状、山形等として、雄タブが点接触又は線接触するようにしてもよい。
【図面の簡単な説明】
【００３４】
【図１】実施形態１において角筒部に挿入された雄タブが前側傾斜部に当接した状態をあらわす断面図
【図２】正規挿入された雄タブが、バネ部材と受け板との間で弾性的に挟まれた状態をあらわす断面図
【図３】端子本体の断面図
【図４】バネ部材の側面図
【図５】従来例の断面図
【符号の説明】
【００３５】
Ｍ…雄タブ
Ｔ…端子金具
１０…端子本体
１１…角筒部
１４…支持板
１６…受け板
１９…嵩上げ部
２１Ｆ…前側斜辺部
２１Ｒ…後側斜辺部
２２…当接面
３０…バネ部材
３１…接点部
３２Ｆ…前側傾斜部
３２Ｒ…後側傾斜部
【図１】
2009259490.tif 000003
【図２】
2009259490.tif 000004
【図３】
2009259490.tif 000005
【図４】
2009259490.tif 000006
【図５】
2009259490.tif 000007